(57)【要約】【課題】見守りサービスを提供するサーバ装置の処理負担の低減を図ると共に、見守る人が見守られる人に関する重要な情報を確認しやすくする。【解決手段】見守られる人Ｍ１が携帯する通信端末装置２０は、テレビジョン装置１０が測定する室内値と、自らが測定する室外値とが、アップロード条件を満たすかを判断する。アップロード条件が満たされる場合、通信端末装置２０は室外値をサーバ装置２へアップロードすることを開始する。サーバ装置２は、アップロードされた室外値がアラート条件を満たすかを判断する。アラート条件が満たされる場合、サーバ装置２は、見守られる人が注意すべき状況であることを示すアラート情報を見守る人へ送信する。【選択図】図１
2014071861.tif 000002
【特許請求の範囲】
【請求項１】
見守られる人に係る通信端末装置と通信可能なサーバ装置が、見守られる人に係る状況を示す情報を、見守る人に応じた送信先へ送信する見守りシステムにおいて、
前記通信端末装置は、
室内における自然環境の状況を示す値、又は室内における見守られる人の身体状況を示す値の少なくともいずれか一方を室内値として取得する室内値取得手段と、
室外における自然環境の状況を示す値、又は室外における見守られる人の身体状況を示す値の少なくともいずれか一方を室外値として取得する室外値取得手段と、
室内値又は室外値が第１条件を満たすか否かの判断を行う第１判断手段と、
第１条件を満たすと判断した場合、室外値を前記サーバ装置へ送信する手段と
を備え、
前記サーバ装置は、
前記通信端末装置から送信されてくる室外値が第２条件を満たすか否かの判断を行う第２判断手段と、
第２条件を満たすと判断した場合、見守られる人が注意すべき状況にあることを示す情報を、見守る人に応じた送信先へ送信する処理を行う手段と
を備えることを特徴とする見守りシステム。
【請求項２】
前記サーバ装置は、
前記通信端末装置から送信されてくる室外値が第３条件を満たすか否かの判断を行う第３判断手段と、
第３条件を満たすと判断した場合、室外値の送信を停止させる停止情報を、前記通信端末装置へ送信する処理を行う手段と
を備え、
前記通信端末装置は、前記停止情報の受信に応じて、室外値を前記サーバ装置へ送信することを停止するようにしてある請求項１に記載の見守りシステム。
【請求項３】
室内における自然環境の状況を示す値、又は室内における見守られる人に係る身体状況を示す値の少なくともいずれか一方を測定すると共に、測定値を送信することが可能な測定装置を備え、
前記通信端末装置は、前記測定装置と直接的に通信を行う直接通信手段を備え、
前記室内値取得手段は、前記直接通信手段が受信した前記測定装置からの測定値を室内値として取得するようにしてある請求項１又は請求項２に記載の見守りシステム。
【請求項４】
前記直接通信手段による前記測定装置との直接的な通信が遮断されてから、前記第１判断手段は、判断を行うようにしてある請求項３に記載の見守りシステム。
【請求項５】
前記通信端末装置は、室外における自然環境の状況を示す値、又は室外における見守られる人に係る身体状況を示す値の少なくともいずれか一方を測定する測定手段を備え、
前記室外値取得手段は、前記測定手段の測定値を室外値として取得するようにしてある請求項１乃至請求項４のいずれか１項に記載の見守りシステム。
【請求項６】
見守られる人に係る通信端末装置と通信可能なサーバ装置が、見守られる人に係る状況を示す情報を、見守る人に応じた送信先へ送信する見守り方法において、
前記通信端末装置は、
室内における自然環境の状況を示す値、又は室内における見守られる人の身体状況を示す値の少なくともいずれか一方を室内値として取得するステップと、
室外における自然環境の状況を示す値、又は室外における見守られる人の身体状況を示す値の少なくともいずれか一方を室外値として取得するステップと、
室内値又は室外値が第１条件を満たすか否かの判断を行うステップと、
第１条件を満たすと判断した場合、室外値を前記サーバ装置へ送信するステップと
を備え、
前記サーバ装置は、
前記通信端末装置から送信されてくる室外値が第２条件を満たすか否かの判断を行うステップと、
第２条件を満たすと判断した場合、見守られる人が注意すべき状況にあることを示す情報を、見守る人に応じた送信先へ送信する処理を行うステップと
を備えることを特徴とする見守り方法。
【請求項７】
測定値を送信することが可能な測定装置と、見守られる人に係る通信端末装置と、サーバ装置とを備え、前記サーバ装置は、見守られる人に係る状況を示す情報を、見守る人に応じた送信先へ送信する見守り方法において、
前記測定装置は、
室内における自然環境の状況を示す値、又は室内における見守られる人に係る身体状況を示す値の少なくともいずれか一方を測定するステップと、
測定値を前記通信端末装置へ直接的に送信するステップと
を備え、
前記通信端末装置は、
前記測定装置から送信された測定値を室内値として取得するステップと、
室外における自然環境の状況を示す値、又は室外における見守られる人の身体状況を示す値の少なくともいずれか一方を測定して、室外値として取得するステップと、
室内値又は室外値が第１条件を満たすか否かの判断を行うステップと、
第１条件を満たすと判断した場合、室外値を前記サーバ装置へ送信するステップと
を備え、
前記サーバ装置は、
前記通信端末装置から送信されてくる室外値が第２条件を満たすか否かの判断を行うステップと、
第２条件を満たすと判断した場合、見守られる人が注意すべき状況にあることを示す情報を、見守る人に応じた送信先へ送信する処理を行うステップと
を備えることを特徴とする見守り方法。
【請求項８】
前記サーバ装置は、
前記通信端末装置から送信されてくる室外値が第３条件を満たすか否かの判断を行うステップと、
送信されてくる室外値が第３条件を満たすと判断した場合、室外値の送信を停止させる停止情報を、前記通信端末装置へ送信するステップと
を備え、
前記通信端末装置は、前記停止情報の受信に応じて、室外値を前記サーバ装置へ送信することを停止するステップを備える請求項６又は請求項７に記載の見守り方法。
【発明の詳細な説明】
【技術分野】
【０００１】
本発明は、サーバ装置が見守られる人に係る状況を把握して、その状況を示す情報を見守る人へ通知するものであり、特に、外出中の見守られる人に異常が起こりやすいレベルになったときに応じて、サーバ装置は見守られる人に係る状況を把握することを開始し、見守られる人に注意すべきレベルになったときに見守る人へ通知するようにして、見守る人へ多数の無用な通知が届かないようにした見守りシステム、及び見守り方法に関する。
【背景技術】
【０００２】
従来、離れて暮らす人（見守られる人）の状況を、見守る人が遠隔的に確認できるようにしたサービス（見守りサービス）を提供するシステムが多数存在する。例えば、下記の特許文献１は、見守られる人のバイタル（生体的な）情報、周囲環境に関する情報（気温等）を取得する端末装置を、サーバとインターネット等の通信網を介して接続し、端末装置が取得した多数の情報をサーバへ送信して、サーバが見守られる人の情報を集約して蓄積し、蓄積した情報に基づく見守られる人の状況を見守る人へ随時通知するようにしたシステムを開示する。
【０００３】
また、下記の特許文献２では、見守られる人が長時間テレビを見ているような移動量の少ない状態でも、健康状態等の異常を検出して、見守られる人の安否を監視できるようにシステムが開示されている。
【先行技術文献】
【特許文献】
【０００４】
【特許文献１】特開２００６−８５３９０号公報
【特許文献２】特開２０１２−７５８６１号公報
【発明の概要】
【発明が解決しようとする課題】
【０００５】
上述した特許文献１等で開示されるシステムでは、サーバは常時、見守られる人に関するバイタル情報及び周囲環境に関する情報を集約して蓄積するので、情報集約に要するサーバの処理負担を大きいという問題がある。また、見守る人の元にはサーバから随時、見守られる人の状況が通知されることから、結局、見守る人は、見守られる人が特に問題が無い場合でも、見守られる人の状況をサーバ装置からの通知によりチェックすべき状況に追い込まれ、見守る人は、もはや見守られる人の状況をチェックすることが大きな負荷となる問題がある。さらには本当にチェックすべき通知が、多数の無用な通知に埋もれてしまい、見守られる人が危ない状況であることを、見守る人が見過してしまうおそれも生じる。
【０００６】
また、特許文献１に開示されるシステムでは、室内に設置する装置を用いて見守られる人の状況を見守るので、見守られる人が外出すると、見守られる人の状況を見守りにくいという問題もある。従来、外出中の見守られる人を見守るようにするためには、体温、心拍数等を測定するための各種測定装置を見守られる人に装着することが一般的であったので、外出の際の見守られる人にかかる手間は大きかった。
【０００７】
本発明は、斯かる事情に鑑みてなされたものであり、外出する見守られる人に異常が生じやすい状況になったときに、初めて、見守られる人に関する情報をサーバへアップロードすることで、サーバの処理負担を低減すると共に、サーバも見守られる人が注意すべき状態になったと判断した時点で、その旨を見守る人へ通知するようにして、見守る人の元へ無用な通知が多数届くような事態の発生を防ぐようにした見守りシステム、及び見守り方法を提供することを目的とする。
【課題を解決するための手段】
【０００８】
上記課題を解決するために本発明に係る見守りシステムは、見守られる人に係る通信端末装置と通信可能なサーバ装置が、見守られる人に係る状況を示す情報を、見守る人に応じた送信先へ送信する見守りシステムにおいて、前記通信端末装置は、室内における自然環境の状況を示す値、又は室内における見守られる人の身体状況を示す値の少なくともいずれか一方を室内値として取得する室内値取得手段と、室外における自然環境の状況を示す値、又は室外における見守られる人の身体状況を示す値の少なくともいずれか一方を室外値として取得する室外値取得手段と、室内値又は室外値が第１条件を満たすか否かの判断を行う第１判断手段と、第１条件を満たすと判断した場合、室外値を前記サーバ装置へ送信する手段とを備え、前記サーバ装置は、前記通信端末装置から送信されてくる室外値が第２条件を満たすか否かの判断を行う第２判断手段と、第２条件を満たすと判断した場合、見守られる人が注意すべき状況にあることを示す情報を、見守る人に応じた送信先へ送信する処理を行う手段とを備えることを特徴とする。
【０００９】
また、本発明に係る見守りシステムは、前記サーバ装置が、前記通信端末装置から送信されてくる室外値が第３条件を満たすか否かの判断を行う第３判断手段と、第３条件を満たすと判断した場合、室外値の送信を停止させる停止情報を、前記通信端末装置へ送信する処理を行う手段とを備え、前記通信端末装置は、前記停止情報の受信に応じて、室外値を前記サーバ装置へ送信することを停止するようにしてあることを特徴とする。
【００１０】
さらに、本発明に係る見守りシステムは、室内における自然環境の状況を示す値、又は室内における見守られる人に係る身体状況を示す値の少なくともいずれか一方を測定すると共に、測定値を送信することが可能な測定装置を備え、前記通信端末装置は、前記測定装置と直接的に通信を行う直接通信手段を備え、前記室内値取得手段は、前記直接通信手段が受信した前記測定装置からの測定値を室内値として取得するようにしてあることを特徴とする。
【００１１】
さらにまた、本発明に係る見守りシステムは、前記直接通信手段による前記測定装置との直接的な通信が遮断されてから、前記第１判断手段は、判断を行うようにしてあることを特徴とする。
【００１２】
そして、本発明に係る見守りシステムは、前記通信端末装置が、室外における自然環境の状況を示す値、又は室外における見守られる人に係る身体状況を示す値の少なくともいずれか一方を測定する測定手段を備え、前記室外値取得手段は、前記測定手段の測定値を室外値として取得するようにしてあることを特徴とする。
【００１３】
本発明に係る見守り方法は、見守られる人に係る通信端末装置と通信可能なサーバ装置が、見守られる人に係る状況を示す情報を、見守る人に応じた送信先へ送信する見守り方法において、前記通信端末装置は、室内における自然環境の状況を示す値、又は室内における見守られる人の身体状況を示す値の少なくともいずれか一方を室内値として取得するステップと、室外における自然環境の状況を示す値、又は室外における見守られる人の身体状況を示す値の少なくともいずれか一方を室外値として取得するステップと、室内値又は室外値が第１条件を満たすか否かの判断を行うステップと、第１条件を満たすと判断した場合、室外値を前記サーバ装置へ送信するステップとを備え、前記サーバ装置は、前記通信端末装置から送信されてくる室外値が第２条件を満たすか否かの判断を行うステップと、第２条件を満たすと判断した場合、見守られる人が注意すべき状況にあることを示す情報を、見守る人に応じた送信先へ送信する処理を行うステップとを備えることを特徴とする。
【００１４】
また、本発明に係る見守り方法は、測定値を送信することが可能な測定装置と、見守られる人に係る通信端末装置と、サーバ装置とを備え、前記サーバ装置は、見守られる人に係る状況を示す情報を、見守る人に応じた送信先へ送信する見守り方法において、前記測定装置は、室内における自然環境の状況を示す値、又は室内における見守られる人に係る身体状況を示す値の少なくともいずれか一方を測定するステップと、測定値を前記通信端末装置へ直接的に送信するステップとを備え、前記通信端末装置は、前記測定装置から送信された測定値を室内値として取得するステップと、室外における自然環境の状況を示す値、又は室外における見守られる人の身体状況を示す値の少なくともいずれか一方を測定して、室外値として取得するステップと、室内値又は室外値が第１条件を満たすか否かの判断を行うステップと、第１条件を満たすと判断した場合、室外値を前記サーバ装置へ送信するステップとを備え、前記サーバ装置は、前記通信端末装置から送信されてくる室外値が第２条件を満たすか否かの判断を行うステップと、第２条件を満たすと判断した場合、見守られる人が注意すべき状況にあることを示す情報を、見守る人に応じた送信先へ送信する処理を行うステップとを備えることを特徴とする。
【００１５】
さらに、本発明に係る見守り方法は、前記サーバ装置が、前記通信端末装置から送信されてくる室外値が第３条件を満たすか否かの判断を行うステップと、送信されてくる室外値が第３条件を満たすと判断した場合、室外値の送信を停止させる停止情報を、前記通信端末装置へ送信するステップとを備え、前記通信端末装置は、前記停止情報の受信に応じて、室外値を前記サーバ装置へ送信することを停止するステップを備えることを特徴とする。
【００１６】
本発明にあっては、室内値又は室外値（室内値及び室外値、若しくは室内値又は室外値のいずれか一方の意味）が第１条件を満たす場合に、室外値をサーバ装置へ送信するので、サーバ装置においては、第１条件が満たされるまでは、何ら値が送られてこないことになり、見守りサービスを提供する上でのサーバ装置の処理負担を低減できるようになる。さらに、サーバ装置は、通信端末装置から送信されてくる室外値が第２条件を満たすと判断した場合になって、見守られる人が注意すべき状況である旨を示す情報を見守る人の元へ送信するので、見守る人へ多数の無用な通知が届くこともなくなり、本当に注意が必要なときのみに通知が届き、見守る人の見守りに要する負担を低減した上で、注意すべき状況であることを適格に見守る人へ伝えられる。また、第２条件の判断は、室外値に対して行われるので、外出中の見守られる人に対しても、適切な見守りを行えるようになる。
【００１７】
なお、第１条件とは、見守られる人に異常が生じやすい状況になったことに対する条件であり、第２条件とは、第１条件より異常に関するレベルが上がり、見守られる人に異常が発生するおそれが高まった状況になったことに対する条件を意味する。また、通信端末装置としては、スマートフォン又は携帯電話機を適用すれば、これらの装置は一般にユーザに携帯されるものであることから、外出の際、特にユーザの負担になることもないので好適となる。
【００１８】
本発明にあっては、サーバ装置が、通信端末装置から送信されてくる室外値が第３条件を満たすと判断した場合、通信端末装置へ停止情報を送信して、通信端末装置が室外値を送信することを停止させるので、通信端末装置が一旦、室外値を送信することを開始したとしても、その後も送信を続ける状態になることを停止でき、それにより、サーバ装置が、通信端末装置からの室外値に関する処理負担が続くことを防止できる。なお、第３条件とは、見守られる人に異常が生じやすい状況から抜け出たレベルになったことを示す条件である。
【００１９】
本発明にあっては、測定装置を別途設け、測定装置から送信される測定値を通信端末装置が受信することにより、室内値として取得するので、室内値の測定に関する処理を測定装置に分担させて、通信端末装置は室内値を取得できるようになり、通信端末装置の処理負担の低減を図れる。
【００２０】
本発明にあっては、測定装置に対する通信端末装置の直接通信手段の直接的な通信が遮断されてから、第１判断手段が判断を開始するので、直接的な通信の遮断をトリガーとして、第１判断手段の処理を自動で開始できるようになり、一連の処理をスムーズに進めることができる。なお、測定装置と通信端末装置との直接的な通信は、見守られる人が通信端末装置を携帯して外出することによって遮断されるので、見守られる人の外出に連動して、通信端末装置の第１判断手段の処理を開始できるようになる。
【００２１】
本発明にあっては、通信端末装置が測定手段を備え、その測定手段の測定値を室外値として取得するので、通信端末装置は自ら室外値を測定して取得することになり、見守られる人が外出したとしても室外値を確実に取得でき、外出中の見守られる人の状況を適切に見守ることに貢献できる。
【発明の効果】
【００２２】
本発明にあっては、第１条件が満たされるまでは、サーバ装置へ何ら情報が送られないので、サーバ装置が扱うべき情報量を削減でき、見守りサービスを提供する上でのサーバ装置の処理負担を低減でき、さらには、第２条件が満たされるまでは、見守る人の元へ何ら通知がなされないので、見守る人がチェックすべき情報量を削減でき、サーバ装置が見守る人へ通知するのは、見守られる人が注意すべき状態であるときに限られるので、そのような重要な情報に見守る人が気づいて対応しやすい状況を提供できる。
【００２３】
本発明にあっては、第３条件が満たされると、サーバ装置は通信端末装置へ停止情報を送信して、通信端末装置がサーバ装置への送信を停止するので、第３条件が満たされれば、サーバ装置が扱うべき情報は、第１条件が満たされる以前のレベルにまで削減でき、サーバ装置の通信端末装置から送信される情報に対する処理負担の低減を図れる。
【００２４】
本発明にあっては、測定装置を別途設け、測定装置の測定値を通信端末装置が受信により取得して室内値とするので、測定装置に室内の各種値の測定を分担させて、通信端末装置の処理負担の低減を図れる。
【００２５】
本発明にあっては、測定装置に対する通信端末装置の直接通信手段の直接的な通信が遮断されてから、第１判断手段が判断を開始するので、第１判断手段の処理を自動で開始でき、サーバ装置への送信開始に係る処理を自動でスムーズに進められる。
【００２６】
本発明にあっては、通信端末装置が測定手段を備え、その測定手段の測定値を室外値として取得するので、通信端末装置は自ら、室外値の取得を直接的に行うことができ、室外値の取得処理を自己完結して効率化を図れる。
【図面の簡単な説明】
【００２７】
【図１】本発明の実施形態に係る見守りシステムの全体的な概要を示す概略図である。
【図２】見守られる人の宅内に設置されるテレビジョン装置の主要な内部構成を示すブロック図である。
【図３】見守られる人に携帯される通信端末装置の主要な内部構成を示すブロック図である。
【図４】アップロード条件テーブルを示す図表である。
【図５】サーバ装置の主要な内部構成を示すブロック図である。
【図６】見守られる人ＤＢ（データベース）を示す図表である。
【図７】（ａ）は複数の見守る人テーブルを含む見守る人ＤＢの概略図であり、（ｂ）は、ある見守られる人用の見守る人テーブルの中身を示す図表である。
【図８】アラート条件テーブルを示す図表である。
【図９】終了条件テーブルを示す図表である。
【図１０】見守り方法に係る一連の処理手順を示す第１フローチャートである。
【図１１】変形例の見守り方法に係る一連の処理手順を示す第２フローチャートである。
【発明を実施するための形態】
【実施例１】
【００２８】
図１は、本発明の実施形態に係る見守りシステム１の全体的な概要を示している。見守りシステム１は、家屋Ｈ１に居住する人（見守られる人Ｍ１）が外出したときの状況を、見守りサービスを提供するサーバ装置２を介して、複数の見守る人Ｋ１、Ｋ２、Ｋ３・・・が遠隔的に確認できるようにしたものである。家屋Ｈ１には、室内における自然環境の状況を示す値、及び室内における見守られる人Ｍ１の身体状況を示す値を測定できる機能を具備したテレビジョン装置１０が設置されている。また、このテレビジョン装置１０と直接的に無線通信を行える携帯可能な通信端末装置２０を見守られる人が所有しており、この通信端末装置２０も自然環境の状況を示す値、及び見守られる人の身体状況を示す値を測定できる機能を具備する。
【００２９】
見守りシステム１は、見守られる人Ｍ１が外出した場合に、室外の自然状況又は室外に居る見守られる人Ｍ１の身体状況に応じて、見守られる人Ｍ１に身体的な異常が生じやすい状況になったと判断されたときに初めて、通信端末装置２０が見守られる人Ｍ１に係る状況を示す情報をサーバ装置２へ送信（アップロード）することを特徴としており、それにより、見守りサービスを提供するサーバ装置２が、通信端末装置２０からのアップロード情報により処理負担が増大することを回避している。特に、見守りシステム１は、見守られる人Ｍ１が室内に居たときから外出した経緯に伴う自然環境の変化、身体状況の変化に合わせて、見守られる人Ｍ１に異常が生じやすくなっているかを判断でき、より現実の行動に即して見守られる人Ｍ１の健康に関する状況を見守ることができるようになっている。
【００３０】
さらに、見守りシステム１は、見守られる人に身体的な異常の発生する可能性が高い状況になったときに初めて、サーバ装置２は見守る人Ｋ１、Ｋ２、Ｋ３・・・へ、見守られる人Ｍ１が注意すべき状況にあることを示す情報を送信することを特徴としており、これにより、見守る人Ｋ１、Ｋ２、Ｋ３・・・の元へ、見守られる人Ｍ１が心配すべきでないレベルの情報が多数通知されることがなくなり、本当に注意すべき状況であることを確実に通知できるようにしている。
【００３１】
図１に示す見守る人Ｋ１、Ｋ２、Ｋ３・・・としては、見守られる人Ｍ１と離れて暮らす家族・親戚縁者、見守られる人Ｍ１が居住する地域の自治会の人、民生委員、又は見守られる人が契約する警備会社等の警備員等が該当し、場合によっては、複数ではなく単数のこともある。これら見守る人Ｋ１、Ｋ２、Ｋ３・・・は、サーバ装置２からの情報を受け取るために、それぞれ通信装置Ｄ１、Ｄ２、Ｄ３・・・（見守る人に応じた送信先に相当）を有しており、これら通信装置Ｄ１、Ｄ２、Ｄ３・・・は、通信機能、各種情報の表示機能、操作指示を受け付けるインタフェース機能等の各種機能を有するものであれば、種々の装置を適用することが可能であり、具体的には通信機能を具備するパーソナルコンピュータ（携帯型パーソナルコンピュータも含む）、スマートフォン、携帯電話機等が該当する。
【００３２】
なお、図１では、図示内容を簡潔に表すために、サーバ装置２に対して、見守られる人Ｍ１及び見守る人Ｋ１、Ｋ２、Ｋ３・・・という１つのグループのみを示しているが、実際のサーバ装置２は、このようなグループを複数、管理できるものになっている（図示するグループ以外に、見守られる人Ｍ２及び見守る人Ｋ２０、Ｋ２１、Ｋ２２・・・のグループ、見守られる人Ｍ３及び見守る人Ｋ３０、Ｋ３１、Ｋ３２・・・のグループ等の複数のグループをサーバ装置２は管理できる）。以下、本発明の詳細について順次説明する。
【００３３】
図２は、見守られる人Ｍ１の家屋Ｈ１に設置されたテレビジョン装置１０の主要な内部構成を示している。本実施形態に係るテレビジョン装置１０は、一般的なテレビ機能に加えて、上述したように、室内における自然環境の状況を示す値、及び室内における見守られる人の身体状況を示す値を測定できる測定機能を具備したものになっており、この測定機能を具備することで、本実施形態のテレビジョン装置１０は測定装置として機能する。
【００３４】
一般的なテレビ機能に関連する部分は主に、前処理部１０a、デコード部１０ｂ、表示出力処理部１０ｃ、音声出力処理部１０ｄ等であり、測定機能に関連する部分は主に、温度センサ１２、気圧センサ１３、電磁波センサ１４、放射線量センサ１５、体温センサ１６、カメラモジュール１７等である。また、これら以外に、テレビジョン装置１０は、赤外線処理部１０ｇ、制御部１０ｈ、メモリ１０ｉ、無線通信部１０ｊ等も具備する。以下、これらの各部分について説明する。
【００３５】
前処理部１０ａは、チューナ部、Ａ／Ｄ変換部、直交検波部、ＦＦＴ部、及び復調部を含み、アンテナで取得されて入力されるＲＦ信号（デジタル放送信号）に対し所定の処理を行ってトランスポートストリーム（ＴＳ）を復調し、次の処理を行うデコード部１０ｂへ伝送する。デコード部１０ｂは、前処理部１０ａで復調されたトランスポートストリームに対して、デコード処理を行い、映像、音声、その他データに分離し、分離した映像ストリームに対しては映像デコード処理を行って表示出力処理部１０ｃへ出力すると共に、分離した音声ストリームに対しては音声デコード処理を行って音声出力処理部１０ｄへ出力する。
【００３６】
表示出力処理部１０ｃは、所定の映像表示に必要な処理を行って映像信号を生成し、生成した映像信号を表示画面１０ｅへ出力し、それにより表示画面１０ｅには、放送番組等の放送映像が表示出力される。また、音声出力処理部１０ｄは、増幅等の音声出力に必要な所定の処理を行って音声信号を生成し、生成した音声信号をスピーカー１０ｆへ出力して、スピーカー１０ｆから各種音声を出力する。
【００３７】
上述したテレビ機能をユーザが操作するためのインタフェース系に関する部分として、テレビジョン装置１０は、赤外線処理部１０ｇを有する。赤外線処理部１０ｇは、周知の赤外線規格（例えば、IrDA系の各規格）に応じた通信処理（信号・データの送受処理）を行うものであり、基本的には、ユーザからの操作を受け付けるリモコン装置１１から発せられる操作信号を含む赤外線を受光して、制御部１０ｈへ伝える処理を行う。制御部１０ｈは、テレビジョン装置１０が具備する各種機能を実行する際に中心的な役割を担うものであり、メモリ１０ｉに記憶された基本プログラムＰ１０及びオプションプログラムＰ１１に規定される様々な処理内容に基づき、各種処理（通信制御処理、測定処理、情報出力処理等）を行う手段として機能する。
【００３８】
基本プログラムＰ１０は、テレビジョン装置１０のファームウェア及びシステムプログラム等に相当するものであり、テレビジョン装置１０がテレビジョン装置としての各種機能（テレビジョンを視聴するための各種機能、通信機能等）を実行するために必要な制御部１０ｈの各種処理を規定したものである。
【００３９】
オプションプログラムＰ１１は、上述した測定機能に関して制御部１０ｈが行うべき制御処理を規定したものであり、制御部１０ｈが各センサ１２等に対して所定の時間間隔（例えば、５分ごと）で測定を行うように制御指示を出すと共に、各センサ１２等で得られた測定値を、無線通信部１０ｊを介して、図１に示す通信端末装置２０へ無線通信により直接的に送信する制御を行うこと等を規定する。なお、オプションプログラムＰ１１は後述するカメラモジュール１７については、見守られる人Ｍ１の画像が撮像されると、制御部１０ｈが、その画像に対して周知の画像認識処理を行って、見守られる人Ｍ１の顔色を測定値として検出する処理を行うことも規定しており、この顔色に係る測定値も各センサ１２等による測定値と同様に、無線通信部１０ｊを介して送信される。
【００４０】
無線通信部１０ｊは、所定の無線通信規格（ＩＥＥＥ系の無線通信規格（ＤＬＮＡ等で用いられる場合も含む）、ブルートゥース（登録商標）、ワイヤレスＵＳＢ等）に応じたものであり、中継基地局等を介さずに、直接的に相手先と無線通信を行う。また、無線通信部１０ｊは、一旦、相手側と通信接続が確立されると、何らかの条件により接続が遮断されるまで、無線通信を行える状況を維持できるようになっている。
【００４１】
次に、テレビジョン装置１０の測定機能に関する部分を説明する。温度センサ１２は装置周囲の気温を測定するものであり、測定が完了すると測定値をメモリ１０ｉへ送る。気圧センサ１３は装置周囲の気圧を測定するものであり、測定が完了すると測定値をメモリ１０ｉへ送る。電磁波センサ１４は装置周囲の電磁波を測定するものであり、測定が完了すると測定値をメモリ１０ｉへ送る。放射線量センサ１５は装置周囲の放射線量を測定するものであり、測定が完了すると測定値をメモリ１０ｉへ送る。
【００４２】
体温センサ１６は、リモコン装置１１に設けられるものであり、リモコン装置１１の筐体におけるユーザに接触把持される箇所に、ユーザの体温を検知する体温センサ１６が取り付けられ、体温センサ１６が検知した体温の測定値を、リモコン装置１１は、装置本体の赤外線処理部１０ｇへ発する信号の中に含ませて、テレビジョン装置１０へ送り、テレビジョン装置１０は送られた体温の測定値をメモリ１０ｉに記憶するようにしている。
【００４３】
また、カメラモジュール１７は、撮像機能を具備したものであり、本実施形態では、カメラモジュール１７は撮像画像を随時、メモリ１０ｉへ送るようになっており、それにより、カメラモジュール１７の撮像範囲に見守られる人Ｍ１が位置すれば、見守られる人Ｍ１の撮像された画像がメモリ１０ｉへ送られる。そして、上述したように、オプションプログラムＰ１１の規定により、制御部１０ｈが見守られる人Ｍ１の顔色を検出し、その検出結果が測定値としてメモリ１０ｉに記憶される。
【００４４】
上述した各測定値において、温度センサ１２、気圧センサ１３、電磁波センサ１４、及び放射線量センサ１５による測定値が、自然環境の状況を示す値に該当し、体温センサ１６及びカメラモジュール１７による測定値が、見守られる人Ｍ１の身体状況を示す値に該当する。また、テレビジョン装置１０は、家屋Ｈ１に設置されることから、上述した測定値も室内における値（室内における自然環境の状況を示す値、室内における見守られる人Ｍ１の身体状況を示す値）となる。
【００４５】
図３は、見守られる人Ｍ１が所有する携帯式の通信端末装置２０（例えば、スマートフォン又は携帯電話機等）についての主要な内部構成を示している。通信端末装置２０は、全体的な制御及び各種処理を行うＣＰＵ２０ａに、各種デバイス等を内部接続線で接続したものになっており、各種デバイス等には、通信モジュール２０ｂ、ＲＡＭ２０ｃ、ＲＯＭ２０ｄ、インタフェース部２０ｅ、位置検出部２０ｆ、記憶部２０ｇ、無線通信部２０ｈ、及び各種センサ２２等がある。
【００４６】
通信モジュール２０ｂは、無線アンテナを具備し、外部のネットワークの中継基地局と無線で通信・通話等を行うための処理を行う通信デバイスであり、本実施形態では、この通信モジュール２０ｂを用いて、通信端末装置２０はサーバ装置２と通信可能になっている。ＲＡＭ２０ｃは、ＣＰＵ２０ａの処理に伴うデータ、ファイル等を一時的に記憶するものであり、本実施形態では、各センサ２２等による測定値を一時的に記憶する。ＲＯＭ２０ｄは、ＣＰＵ２０ａの基本的な処理内容を規定したプログラム等を記憶するものである。
【００４７】
インタフェース部２０ｅは、表示パネル２０ｉ及び操作部２０ｊを接続するものであり、表示用の各種情報をタッチパネル式の表示パネル２０ｉへ出力して、表示すべき内容を表示パネル２０ｉで表示可能にすると共に、表示パネル２０ｉのタッチパネル又は操作部２０ｊで受け付けたユーザからの操作内容をＣＰＵ２０ａへ伝える処理を行う。位置検出部２０ｆは、ＧＰＳ（Global Positioning System）を利用して、通信端末装置２０の現在位置を示す位置情報（緯度経度情報等）を所定の時間間隔で取得可能としたものであり、取得した位置情報は、ＲＡＭ２０ｃで適宜、一時的に記憶されるようになっている。
【００４８】
記憶部２０ｇは、ＩＤ情報２７、ファームウェアプログラムＰ２０、測定判断プログラムＰ２１、アップロードプログラムＰ２２、アップロード条件テーブル２８等を記憶するメモリである。
【００４９】
記憶部２０ｇに記憶されるＩＤ情報２７には、通信端末装置２０の識別コードを示す装置ＩＤ、及び見守りサービスに登録したユーザを識別するユーザＩＤがあり、これらのＩＤは、通信を行う際、他の通信端末装置及び他のユーザ等と識別するために使用される。なお、ユーザＩＤは、見守りサービスへの登録時にサーバ装置２により発行されるものであり、発行後、サーバ装置２から通信端末装置２０へ送られて、記憶部２０ｇに記憶保存されている。また、記憶部２０ｇに記憶されるファームウェアプログラムＰ２０は、通信端末装置２０を携帯電話機及び通信装置として機能させるためにＣＰＵ２０ａが行う各種処理を規定したものである。記憶部２０ｇに記憶される測定判断プログラムＰ２１等の詳細については後述する。
【００５０】
無線通信部２０ｈは直接通信手段として機能し、上述したテレビジョン装置１０の無線通信部１０ｊに応じたものであり、テレビジョン装置１０の無線通信部１０ｊと同様に、所定の無線通信規格（ＩＥＥＥ系の無線通信規格（ＤＬＮＡ等で用いられる場合も含む）、ブルートゥース（登録商標）、ワイヤレスＵＳＢ等）に合致したものであり、中継基地局等を介さずに、直接的に相手先と無線通信を行う。
【００５１】
温度センサ２２、気圧センサ２３、電磁波センサ２４、放射線量センサ２５、体温センサ２６、及びカメラモジュール２７は測定手段に相当し、上述したテレビジョン装置１０で説明した各センサ等と同等の測定を行うものである。具体的に温度センサ２２は装置周囲の気温を測定し、測定が完了すると測定値を記憶部ＲＡＭ２０ｃへ送る。気圧センサ２３は装置周囲の気圧を測定し、測定が完了すると測定値をＲＡＭ２０ｃへ送る。電磁波センサ２４は装置周囲の電磁波を測定し、測定が完了すると測定値をＲＡＭ２０ｃへ送る。放射線量センサ２５は装置周囲の放射線量を測定し、測定が完了すると測定値をＲＡＭ２０ｃへ送る。
【００５２】
体温センサ２６は、通信端末装置２０の筐体におけるユーザに接触把持される箇所に取り付けられており、検知した体温の測定値を随時ＲＡＭ２０ｃへ送る。カメラモジュール２７は、撮像画像を随時ＲＡＭ２０ｃへ送っている。カメラモジュール２７の撮像範囲に見守られる人Ｍ１が位置すれば、見守られる人Ｍ１の撮像された画像がＲＡＭ２０ｃへ送られることになり、記憶部２０ｇに記憶される後述の測定判断プログラムＰ２１の規定により、ＣＰＵ２０ａが見守られる人Ｍ１の顔色を検出し、その検出結果が測定値としてＲＡＭ２０ｃに記憶される。
【００５３】
通信端末装置２０においても、温度センサ２２、気圧センサ２３、電磁波センサ２４、及び放射線量センサ２５に基づく測定値が、自然環境の状況を示す値となり、体温センサ２６及びカメラデバイス２７に基づく測定値が、見守られる人Ｍ１の身体状況を示す値となる。また、通信端末装置２０は携帯可能であることから、家屋Ｈ１の室内に位置する場合、室外に位置する場合の二通りで存在することになり、家屋Ｈ１の室内に位置する場合、上述した値は室内における測定値（室内値）となり、室外に位置する場合、上述した値は室外における値（室外値）となる。
【００５４】
次に、記憶部２０ｇに記憶される測定判断プログラムＰ２１、アップロードプログラムＰ２２、アップロード条件テーブル２８について説明する。測定判断プログラムＰ２１は、アプリケーションプログラムの一つであり、本発明に係る見守りサービスを実施する上で、見守られる人Ｍ１が用いる通信端末装置２０用（ＣＰＵ２０ａ用）の基本となる処理を規定したものである。
【００５５】
まず、測定判断プログラムＰ２１、及びアップロードプログラムＰ２２が通信端末装置２０にインストールされると、ファームウェアプログラムＰ２０によって表示パネル２０ｉに表示される基本メニューの中に、見守りサービスに係るアイコンが含まれるようになり、このアイコンが選択されると、測定判断プログラムＰ２１が起動するようになる。
【００５６】
測定判断プログラムＰ２１が起動すると、まず、ＣＰＵ２０ａは、無線通信部２０ｈを用いてテレビジョン装置１０の無線通信部１０ｊに対して直接的な無線通信の接続確立をユーザの操作により行う旨の表示と、その操作の仕方を表示し、両者間で接続が確立されたかを判断する状態となることを規定する。また、接続が確立されて両者の無線通信の同期が取られたと判断した場合、ＣＰＵ２０ａが、テレビジョン装置１０に対して、測定値を要求する指示を送信する旨を測定判断プログラムＰ２１は規定する。この測定値を要求する指示により、テレビジョン装置１０から測定値が送信されてくると、ＣＰＵ２０ａは、無線通信部２０ｈで受信した測定値を取得してＲＡＭ２０ｃに記憶するように制御を行うことを測定判断プログラムＰ２１を規定する（ＣＰＵ２０ａは室内値取得手段として機能）。なお、ＲＡＭ２０ｃに記憶される測定値は、新たな測定値が取得されるごとに更新される。
【００５７】
さらに、測定判断プログラムＰ２１は、温度センサ２２、気圧センサ２３、電磁波センサ２４、放射線量センサ２５、体温センサ２６、及びカメラモジュール２７に対しても測定に関する処理を開始して、測定に係る処理を行うと、測定値を随時ＲＡＭ２０ｃへ送るようにＣＰＵ２０ａが制御することを規定する（ＣＰＵ２０ａは室外値取得手段として機能）。なお、ＣＰＵ２０ａは、所定の時間間隔（例えば、５分間隔）で測定を行うように制御する。この処理により、ＣＰＵ２０ｃは各測定値２０ｃをＲＡＭ２０ｃに記憶させて取得することになり、これら温度センサ２２等による測定値も、新たな測定値が測定されるごとに更新される。
【００５８】
さらにまた、測定判断プログラムＰ２１は、テレビジョン装置１０と通信端末装置２０との無線通信の接続確立された同期が維持されているか否かをＣＰＵ２０ｃが判断する旨を規定しており、同期が維持されずに遮断されたとＣＰＵ２０ｃが判断した場合、メモリ２０ｃに記憶されたテレビジョン装置１０の各測定値と、通信端末装置２０における各測定値との差分をＣＰＵ２０ｃが算出する処理を開始する旨を規定する。なお、無線通信に係る同期の遮断は、無線通信を行える距離的な条件が満たされないときに生じるので、同期が遮断された場合とは、結局、見守られる人Ｍ１が通信端末装置２０を携帯して、家屋Ｈ１より外出したことと同意となる。
【００５９】
それから、測定判断プログラムＰ２１は、室内値のみ、室内値及び室外値、又は算出した差分等のいずれかが、記憶部２０ｇに記憶されるアップロード条件テーブル２８に格納される各条件（第１条件）を満たすか否かをＣＰＵ２０ｃが判断する旨を規定する（ＣＰＵ２０ｃは第１判断手段として機能）。なお、外出してからも、通信端末装置２０は各センサ２２等での測定を継続するので、外出後に温度センサ２２、気圧センサ２３、電磁波センサ２４、放射線量センサ２５、体温センサ２６、及びカメラモジュール２７で測定された値（測定値）は、室外における値（室外値）となる。一方、通信端末装置２０は外出するとテレビジョン装置１０からの測定値は取得できなくなるので、外出の際、ＲＡＭ２０ｃに記憶されていた測定値を第１条件との判断に用いることになり、このようにＲＡＭ２０ｃに記憶されていたテレビジョン装置１０による測定値は室内における値（室内値）となる。
【００６０】
図４は、アップロード条件テーブル２８に格納された各項目に関する条件（第１条件）の一例を示している。各項目に関する条件の例として、気温上昇については、テレビジョン装置１０での測定値（室内値）が２６℃以上であり、且つ、気温に関する差分として、室外値が室内値より２℃以上高いと、第１条件（アップロード条件）を満たすことを規定する。気温下降については、室内値が２５℃以下であり、且つ、気温に関する差分として室内値が室内値より３℃以下低いと、第１条件（アップロード条件）を満たすことを規定する。これらの気温に関する条件は、通常、６０歳以上の人に異常が起こりやすい状況となる室内外の温度差が、過去の経験値より判明しているため、この過去の経験値に基づき、上述した気温に関する条件の値が定められている。
【００６１】
また、気圧、電磁波、放射線量等の条件についても、上述した気温の場合と同様に、通常、人体に異常が起こりやすい状況となる室内外の値の差が、過去の経験値より判明しているため、これらの過去の経験値に基づき、上述した気圧、電磁波、放射線量等に関する条件の値が定められている。さらに、気圧、体温等については、気温との関係があるので、気圧及び気温を関係付けた条件、体温及び気温を関係付けた複合的な条件等も第１条件となる内容になっている。なお、顔色の条件については、画像認識により顔色の色味が検知され、標準とされる範囲より赤みを帯びている場合、標準とされる範囲より白み（青み）を帯びている場合等でパターン分けを行っており、例えば、赤みを帯びている場合をパターン１、青みを帯びている場合をパターン２としている。
【００６２】
なお、気温に関する室内値に係る条件の値は、気圧により変動するようにしており、例えば、気圧下降として、室外値が室内値より２０ｈＰａ以下になったとすると、気温下降の室内値に係る条件の値を２℃上げて、室内値より３℃以下を、室内値より１℃以下という条件に変更される（室内値の数字そのものは不問。室外値と室外値との差分のみが問題）。このような変更は、気圧が下がっている場合は、気温の下降幅が少しだけであっても、身体に影響がでやすいことに対応して行うものである。また、気圧に係る室内値が１００５ｈＰａ以下で、室外値の記憶が２０℃以下のときも複合的に第１条件を満たすことになり、このとき気温に係る室内値及び気圧に係る室外値が特に不問としている。
【００６３】
さらに、アップロード条件テーブル２８は、第１条件を満たす場合の後述のアップロードプログラムＰ２２の起動回数も規定したものとなっており、第１条件が満たされた場合、これらの起動回数に従って、アップロードプログラムＰ２２は起動することになる。
【００６４】
測定判断プログラムＰ２１は、上述したアップロード条件テーブル２８に格納される各項目のいずれか１つでも条件（第１条件）が満たされると、第１条件であるアップロード条件充足と判断し、次に、ＣＰＵ２０ａの制御により、記憶部２０ｇに記憶されているアップロードプログラムＰ２１を起動させる旨を規定する。
【００６５】
なお、本実施形態の測定判断プログラムＰ２１は、サーバ装置２への測定値のアップロード量が多くなるのを防ぐため、アップロードプログラムＰ２１の起動回数を、条件に係る項目によっては、上述したアップロード条件テーブル２８の起動回数に基づき制限しており、気温、気圧、体温、及び顔色の項目に関する条件については起動回数を一定数に制限している。一方、電磁波、放射線量については、人体への影響が大きいことから、起動回数に制限は設けていない。また、ＣＰＵ２０ａは、アップロードプログラムＰ２１を起動した場合、いずれの項目によって、どの時間帯に何回起動したかをＲＡＭ２０ｃに記憶しており、この記憶内容を参照し、起動回数の制限を制御できるようにしている。
【００６６】
次に、アップロードプログラムＰ２２について説明する。アップロードプログラムＰ２２は、通信端末装置２０の測定値（室外値）をサーバ装置２へ送信する処理（アップロードする処理）を開始することを規定している。この規定により、ＣＰＵ２０ａの制御により、各センサ２２等によって新たな測定値を取得するごとに、サーバ装置２へ測定値は通信モジュール２０ｂを介してアップロードされる。なお、アップロードプログラムＰ２１は、室外値をアップロードする際、記憶部２０ｇに記憶されている装置ＩＤ及びユーザＩＤも一緒にＣＰＵ２０ａがサーバ装置２へ送信する制御を行うことを規定している。
【００６７】
また、一旦起動したアップロードプログラムＰ２２は、通信端末装置２０が停止情報を受信すると、ＣＰＵ２０ａの制御により起動を終了することも規定している。このように起動を終了すると、サーバ装置２へ測定値（室外値）がアップロードされることも自動的に終了することになる。なお、起動終了後においては、上述した測定判断プログラムＰ２１の規定により第１条件（アップロード条件）が満たされて、且つ、アップロード条件テーブル２８が規定する起動回数の制限にかからなければ、アップロードプログラムＰ２２は再起動することになる。
【００６８】
図７は、見守りサービスのサーバ装置２の主要な内部構成を示す。本実施形態のサーバ装置２には一般的なサーバコンピュータを適用しており、全体的な制御及び各種処理を行うＭＰＵ２ａに、各種デバイス等を内部接続線２ｈで接続したものになっており、各種デバイス等には、通信モジュール２ｂ、ＲＡＭ２ｃ、ＲＯＭ２ｄ、入力インタフェース２ｅ、出力インタフェース２ｆ、大容量記憶システム（ＨＤＤシステム）２ｇ等がある。
【００６９】
通信モジュール２ｂは、ネットワークとの接続モジュールに相当する通信デバイスであり、所要の通信規格に応じたものである（例えばＬＡＮモジュール）。通信モジュール２ｂは、所要の通信機器（図示は省略。例えばルータ等が該当）を介してネットワークと接続されており、見守られる人Ｍ１の通信端末装置２０、及び見守る人Ｋ１、Ｋ２、Ｋ３・・・が使用する通信装置Ｄ１、Ｄ２、Ｄ３・・・との通信を可能にしている。
【００７０】
ＲＡＭ２ｃは、ＭＰＵ２ａの処理に伴う内容、ファイル等を一時的に記憶するものであり、ＲＯＭ２ｄは、ＭＰＵ２ａの基本的な処理内容を規定したプログラム等を記憶するものである。入力インタフェース２ｅは、サーバ装置２のオペレータからの操作指示等を受け付けるキーボード２ｉ、マウス等が接続されるものであり、オペレータから受け付けた操作指示等をＭＰＵ２ａへ伝える。出力インタフェース２ｆは、ディスプレイ２ｊ（表示出力装置）が接続されるものであり、ＭＰＵ２ａの処理に伴う内容をディスプレイ２ｊへ出力し、オペレータが現在の処理内容等を確認できるようにしている。
【００７１】
大容量記憶システム２ｇ（記憶手段に相当）は、見守りサービスを提供するに当たり必要なデータを含む各種データベース（ＤＢ）及びプログラム等を記憶するものであり、具体的には、サーバプログラムＰ１、見守りサービスプログラムＰ２、見守られる人ＤＢ３、見守る人ＤＢ４、アラート条件テーブル５、終了条件テーブル６等を記憶している。
【００７２】
サーバプログラムＰ１は、サーバ用のオペレーションシステムに応じた各種処理を規定したものであり、この規定内容に基づいた処理をＭＰＵ２ａが行うことで、サーバ装置２はサーバコンピュータとしての基本的な機能を果たす。見守りサービスプログラムＰ２の説明は後述し、先に、見守られる人ＤＢ３等の説明を行う。
【００７３】
図６は、見守られる人ＤＢ３の中身を示している。見守られる人ＤＢ３は、見守りサービスに登録している複数の見守られる人に関する情報を格納したものであり、登録した見守られる人を識別するための「ユーザＩＤ」に、見守られる人が使用する通信端末装置（スマートフォ又はン）を識別する「装置ＩＤ（図３の記憶部２０ｇに記憶されるＩＤ情報２７に含まれるＩＤ）」、ユーザの「氏名」、「住所（ＧＰＳ情報も含んでよい）」、「電話番号」、「メールアドレス」、「通信アドレス（サーバ装置２との通信を行う際のアドレス）」、「年齢」、及び「性別」等が格納されている。これらの情報は、見守りサービスの登録時に見守られる人から提供される情報である。
【００７４】
図７（ａ）は見守る人ＤＢ４の概要を示している。見守る人ＤＢ４は、登録した見守られる人の見守りを行う人の情報を格納した見守る人テーブル４ａ、４ｂ、４ｃ・・・を複数格納したものになっており、これら見守る人テーブル４ａ、４ｂ、４ｃ・・・のそれぞれは、登録した見守られる人専用のものとなっており、それぞれのユーザＩＤと対応付けて各見守る人テーブル４ａ、４ｂ、４ｃ・・・が見守る人ＤＢ４の中に格納されている。そのため、ユーザＩＤに基づき、そのユーザＩＤに対応付けられた一つの見守る人テーブルを検索できるようになっている。なお、各見守る人テーブル４ａ、４ｂ、４ｃ・・・の中身は、見守りサービスに登録する際に、見守られる人から回答された情報に基づき構成されている。
【００７５】
図７（ｂ）は一例として、ユーザＩＤが「Ｕ０００００１」の見守られる人Ｍ１用の見守る人テーブル４ａの中身を示している。見守る人テーブル４ａは、ユーザＩＤ「Ｕ０００００１」に対応づけられたものであり、その中身は、見守る人を示す「見守る人ＩＤ」ごとに、見守る人の「氏名」、「電話（電話番号）」、「メールアドレス」、「通信アドレス（サーバ装置２との通信を行う際に必要なアドレス。見守る人に応じた送信先となる通信アドレスに相当）」、「位置情報（住所）」、「装置ＩＤ」等が格納されたものになっている。この中で「位置情報（住所）」は、見守る人の位置を示す情報であり、見守り人の使用する通信装置の位置検出部がＧＰＳを利用して位置情報の検出が可能なものであれば、通信装置から送信されてくる位置情報が格納されており、ＧＰＳによる位置情報の検出が不可な装置の場合には、登録時にサーバ装置２へ送信された住所の情報が格納されることになる。なお、サーバ装置２は、通信装置から位置情報が送信されてくるごとに、「位置情報（住所）」の項目に格納する位置情報を、新たに受信した位置情報に更新している。
【００７６】
また、このような見守る人テーブル４ａは、ある見守られる人に対する見守る人が１人であれば、１人分の見守る人に係る情報が格納され、見守る人が複数であれば、図７（ｂ）に示すように複数分の見守る人に係る情報が格納される。
【００７７】
図８は、アラート条件テーブル５に格納された各項目に関する条件（第２条件）の一例を示しており、このアラート条件テーブル５は、図４に示すアップロード条件テーブル２８にヒモ付けられたものになっており、両テーブルの各項目は同じものに対応している。各項目に関する条件の例として、気温上昇については、通信端末装置２０での測定値（室外値）が、アップロード条件における同項目の測定値（室外値）より更に２℃上がることが条件となっている。また、気温下降については、通信端末装置２０での測定値（室外値）が、アップロード条件における同項目の測定値（室外値）より更に２℃下がることが条件となっている。通常、６０歳以上の人に異常が起こりやすいレベルを越えて、異常発生の確率が高まり、見守られる人に注意を払うべきレベルとなる外気温が、過去の経験値より判明しているため、この過去の経験値に基づき、変化した気温に関する条件の値が上記のように定められている。
【００７８】
また、気圧、電磁波、放射線量等の条件についても、上述した気温の場合と同様に、人体に異常が発生する確率が高まった状況となる室外値は、過去の経験値より判明しているため、これらの過去の経験値に基づき、上述した気圧、電磁波、放射線量等に関する条件の室外値が定められている。
【００７９】
さらに、アラート条件テーブル５は、各項目に対応づけてアラート情報も格納している。アラート情報とは、見守られる人が注意すべき状況にあることを示す情報であり、条件となる各項目に応じた情報の中身が格納されている。例えば、気温上昇の場合は「熱中症の危険があります。」というアラート情報が格納されており、気圧及び気温下降の場合は「心臓に負担がかかりやすくなっています。」というアラート情報が格納されており、体温上昇及び気温上昇の場合は「熱があるようです。」というアラート情報が格納されている。また、顔色の項目については「顔色が悪くなっています。」というアラート情報が格納されており、電磁波の項目については「強い電磁波の発生源付近にいます。」というアラート情報が格納されており、放射線量については「放射線量が平常時を越えています。」というアラート情報が格納されている。また、気温下降の場合は「気温が○○℃にさがっています。」というアラート情報になっており、この「○○℃」にはアラート条件に判断に用いられた室外値が組み入れられる（他の「○○」の部分も同様）。
【００８０】
図９は、終了条件テーブル６に格納された各項目に関する条件（第３条件）の一例を示し、この終了条件テーブル６も図４に示すアップロード条件テーブル２８及び図７のアラート条件テーブル５にヒモ付けられたものになっており、各テーブルの項目は、それぞれ同じ項目に対応している。
【００８１】
終了条件テーブル６における各項目に関する条件（終了条件。第３条件）の例として、気温上昇については、通信端末装置２０での測定値（室外値）が、２８℃以下になることが条件となっている。また、気温下降については、通信端末装置２０での測定値（室外値）が、２１℃以上になることが条件となっている。気温上昇又は気温下降において、各温度が上記の条件のように変化した場合、通常、６０歳以上の人に異常が起こりやすい状況から外れることが、過去の経験値より判明しているため、この過去の経験値に基づき、上述した気温に関する条件の室外値が定められている。
【００８２】
また、気圧、電磁波、放射線量等の条件についても、上述した気温の場合と同様に、６０歳以上の人に異常が起こりやすい状況から外れることが、過去の経験値より判明しているため、これらの過去の経験値に基づき、上述した気圧、電磁波、放射線量等に関する条件の室外値が定められている。
【００８３】
次に、図５の大容量記憶システム２ｇに記憶される見守りサービスプログラムＰ２について説明する。見守りサービスプログラムＰ２は、サーバコンピュータであるサーバ装置２が、本発明に係る見守りサービスを提供できるようにするためのプログラムであり、サーバ装置２が見守りサービスに関する各種機能を発揮するように、ＭＰＵ２ａが行うべき各種処理を規定したものになっている。
【００８４】
まず、見守りサービスプログラムＰ２は、見守られる人Ｍ１の通信端末装置２０から送信されてくる室外値（装置ＩＤ及びユーザＩＤも一緒に送信される）を受信したか否かを、ＭＰＵ２ａが検知することを規定している。また、室外値（測定値）を受信したと判断すると、ＭＰＵ２ａは、室外値が上述したアラート条件テーブル５に格納される各条件（アラート条件。第２条件）を満たすか否かを判断する旨を見守りサービスプログラムＰ２は規定する。
【００８５】
見守りサービスプログラムＰ２は、アラート条件テーブル５に格納される各項目のいずれか１つでも条件（第２条件）が満たされると、ＭＰＵ２ａが第２条件であるアラート条件充足と判断し、アラート条件テーブル５において、条件が充足された項目に対応付けて格納されるアラート情報を読み出すことを規定する（ＭＰＵ２ａは第２判断手段として機能）。そして、読み出したアラート情報を、アラート条件充足の判断の対象になった室外値と一緒に送信された装置ＩＤ及びユーザＩＤを参照して、図７（ａ）に示す見守る人ＤＢ５の中から、対象となる見守る人テーブル（図７（ｂ）参照）を特定し、その特定した見守る人テーブルに格納された見守る人に応じた送信先（送信先となる通信アドレス）へＭＰＵ２ａが、通信モジュール２ｂを介して送信する制御処理を行うことを、見守りサービスプログラムＰ２は規定する。
【００８６】
また、見守りサービスプログラムＰ２は、上述のアラート条件（第２条件）が非充足と判断された場合、室外値が上述した終了条件テーブル６に格納される各条件（終了条件。第３条件）を満たすか否かをＭＰＵ２ａが判断する旨を規定する（ＭＰＵ２ａは第３判断手段として機能）。見守りサービスプログラムＰ２は、終了条件テーブル６に格納される各項目のいずれか１つでも条件（第３条件）が満たされると、ＭＰＵ２ａが第３条件である終了条件充足と判断し、室外値のアップロードを停止する指示を示す停止情報を、終了充足の判断の対象になった室外値の送信元である通信端末装置２０へ送信する制御処理を行うことを、見守りサービスプログラムＰ２は規定する。なお、停止情報を送信する通信端末装置２０の通信アドレスは、終了充足の判断の対象になった室外値と一緒に送信された装置ＩＤ及びユーザＩＤを参照して、図６に示す見守られる人ＤＢ３において、これらのＩＤ（装置ＩＤ、ユーザＩＤ）に対応付けて格納される通信アドレスの項目に格納されたものを使用することになる。
【００８７】
図１０は、上述した見守りシステム１に含まれる通信端末装置２０及びサーバ装置２が連携して行う見守り方法の一連の処理手順を整理した第１フローチャートである。なお、この第１フローチャートでは、最初の段階において、通信端末装置２０は、見守りサービスを開始する旨のユーザ操作が行われて、記憶部２０ｇに記憶している測定判断プログラムＰ２１が起動していると共に、テレビジョン装置１０との間で直接的な通信の接続を確立して同期を取った状態となり、テレビジョン装置１０は測定値の取得にあわせて測定値の送信処理を開始しているものとする。
【００８８】
まず、通信端末装置２０は、テレビジョン装置１０から送信される測定値を受信して取得すると共に、自らも測定を行って測定値を取得する（Ｓ１）。それから通信端末装置２０は、テレビジョン装置１０との直接的な通信の接続確立が維持されているか否かを判断する（Ｓ２）。接続確立が維持されている場合（Ｓ２：ＹＥＳ）、最初のＳ１の段階へ戻り、測定値の取得を引き続き行う。また、接続確立が維持されずに切断された場合（Ｓ２：ＮＯ）、見守られる人Ｍ１が通信端末装置２０を携帯して外出したものとし、通信端末装置２０が自ら測定する値を室外値として取得することを行う（Ｓ３）。なお、接続確立が維持されなくなった場合は、直近にテレビジョン装置１０から取得した測定値が室内値として通信端末装置２０の記憶部２０ｇに記憶されており、テレビジョン装置１０は室内値の測定処理を停止する。
【００８９】
それから、通信端末装置２０は、記憶部２０ｇに記憶する室内値、Ｓ３の段階で取得した室外値、又はこれらの差分値の少なくともいずれかが、図４のアップロード条件テーブル２８に格納されたアップロード条件を満たすか否かを判断する（Ｓ４）。アップロード条件を満たさない場合、Ｓ３の段階へ戻り、通信端末装置２０は室外値の取得を継続することになる。
【００９０】
また、アップロード条件を満たすと判断した場合（Ｓ４：ＹＥＳ）、通信端末装置２０は、記憶部２０ｇに記憶しているアップロードプログラムＰ２２を起動して、取得した最新の室外値をサーバ装置２へアップロード（送信）することを開始する（Ｓ５）。それから、通信端末装置２０は、サーバ装置２から停止情報を受信したか否かを判断し（Ｓ６）、停止情報を受信していない場合（Ｓ６：ＮＯ）、室外値の取得を行い（Ｓ７）、取得した室外値のアップロードを引き続き行うことになる（Ｓ５）。
【００９１】
一方、サーバ装置２は最初に、通信端末装置２０からの室外値を受信したか否かを判断し（Ｓ１０）、室外値を受信しない場合（Ｓ１０：ＮＯ）、室外値の受信待ちの状態となる。また、室外値を受信した場合（Ｓ１０：ＹＥＳ）、サーバ装置２は、受信した室外値が、図８のアラート条件テーブル５に格納されたアラート条件を満たすか否かを判断する（Ｓ１１）。アラート条件を満たすと判断した場合（Ｓ１１：ＹＥＳ）、サーバ装置２は、アラート条件を充足した項目に対応付けられたアラート情報をアラート条件テーブル５から読み出して、アラート条件の判断に用いた室外値と一緒に送信された装置ＩＤ及びユーザＩＤに基づき、図７（ａ）の見守る人ＤＢ４より、所定の見守る人テーブルを抽出し、その抽出した見守る人テーブルに格納された見守る人に応じた送信先へ、読み出したアラート情報を送信する（Ｓ１２）。
【００９２】
また、サーバ装置２は、アラート情報の送信（Ｓ１２）の後、又はアラート条件を満たさないと判断した場合（Ｓ１１：ＮＯ）、次に、受信した室外値が図９の終了条件テーブル６に格納された終了条件を満たすか否かを判断する（Ｓ１３）。終了条件を満たすと判断した場合（Ｓ１３：ＹＥＳ）、サーバ装置２は、終了条件の判断に用いた室外値の送信元となる通信端末装置２０へ、室外値をアップロードすることを停止させる停止情報を送信する（Ｓ１４）。なお、サーバ装置２は、停止情報の送信（Ｓ１４）の後、又は終了条件を満たさないと判断した場合（Ｓ１３：ＮＯ）、最初の室外値を受信したか否かの判断段階（Ｓ１０）へ戻り、処理を続けることになる。
【００９３】
通信端末装置２０側への処理の説明に戻り、停止情報を受信したか否かの判断段階（Ｓ６）で、上述したサーバ装置２の停止情報の送信（Ｓ１４）により、通信端末装置２０が停止情報を受信した場合（Ｓ６：ＹＥＳ）、アップロードプログラムＰ２２の起動を終了して室外値のアップロードを停止し（Ｓ８）、一連の処理を一旦終了する。なお、この状態では、測定判断プログラムＰ２１は起動しているので、再度、Ｓ３の段階へ戻り、通信端末装置２０は室外値の取得を行うことなるが、ユーザ（見守られる人Ｍ１）が見守りサービスを終了する操作を行った段階で、通信端末装置２０は、測定判断プログラムＰ２１の起動を終了して、見守りサービスに係る処理を終了するものとする。
【００９４】
上述したように、本発明に係る見守りサービスを提供する見守りシステム１及び見守り方法では、通信端末装置２０は、アップロード条件が満たされない状態では、測定値（室外値）をサーバ装置２へアップロードしないので、サーバ装置２は常時、通信端末装置２０からのアップロードを受けることが無くなり、全体としてアップロード量が削減されてサーバ装置２の処理負担を低減できる。また、サーバ装置２は、アラート条件が満たされて初めてアラート情報を見守る人へ送信するので、無用な多数の通知の中に重要な情報が埋もれてしまう状況を防ぐことができ、見守る人のチェックに係る負担を低減した上で、見守られる人に対する重要な情報を確実に通知できる。さらに、見守られる人Ｍ１の健康状態については、室内に居た状態から室外に出たという移動状況に伴って判断されるので、より現実に即した状況で、外出中の見守られる人Ｍ１を見守ることができる。
【００９５】
なお、本発明は上述した実施形態に限定されるものではなく、種々の変形例が考えられる。例えば、サーバ装置２が行う処理の迅速化を図るため、複数のサーバコンピュータを用いて、上述したサーバ装置２が行う各処理を分散処理させるようにしてもよく、また、別途データベースサーバを設けて、このデータベースサーバに見守られる人ＤＢ３、見守る人ＤＢ４等を記憶させる構成にすることも可能である。
【００９６】
また、上述した実施形態において、図４に示すアップロード条件テーブル２８、図８に示すアラート条件テーブル５、及び図９に示す終了条件テーブル６の中身は一例にすぎず、仕様等に応じて適宜、格納される条件（アップロード条件、アラート条件、終了条件）、アラート情報の中身等を変更することは勿論可能である。たとえば、図４のアップロード条件テーブル２８においては、室内値のみをアップロード条件、又は室外値のみをアップロード条件にすることも適用でき、具体的に室内値のみをアップロード条件とする例としては、室内値の放射線量が０．０７μＳ／ｈ以上となった場合、見守りサービスを開始した時点で室内値の気温が４０℃を超えている場合等が考えられ、室外値のみをアップロード条件とする例としては、室外値の放射線量が０．０７μＳ／ｈ以上となった場合などが考えられる。さらにはテレビジョン装置１０及び通信端末装置２０が行う測定の項目も一例にすぎず、項目を適宜増減することが可能であり、仕様によっては、自然環境の状況を示す値と、見守られる人Ｍ１の身体状況を示す値の両方を測定するのではなく、いずれか一方のみを測定する仕様にしてもよく、このような仕様にした場合は、図４に示すアップロード条件テーブル２８、図８に示すアラート条件テーブル５、及び図９に示す終了条件テーブル６の中身も、測定対象となる項目に応じた条件のみを格納したものにする。
【００９７】
さらに、見守られる人Ｍ１の通信端末装置２０の処理負担を低減するため、上述した第１フローチャートのＳ１の段階では、通信端末装置２０は自ら測定値の取得を行わず、テレビジョン装置１０からの測定値の取得のみを行い、Ｓ２の段階で接続確立が途絶えて、Ｓ３の段階になってから、自らで測定値（室外値）の取得を開始する仕様にしてもよい。
【００９８】
さらにまた、見守られる人Ｍ１が、測定機能を具備するテレビジョン装置１０を所有していない場合などには、テレビジョン装置１０の替わりに、通信端末装置２０で室内値を取得するようにしてもよい。
【００９９】
この変形例の場合、通信端末装置２０は、家屋Ｈ１に係る位置情報を位置検出部２０ｆで予め取得し、記憶部２０ｇに保存しておき、それから、室内において見守られる人Ｍ１が、見守りサービスを開始する操作を行うと、通信端末装置２０は測定判断プログラム２１を起動し、測定を開始して測定値を取得し、取得した測定時をＲＡＭ２０ｃに記憶することになる。そして、通信端末装置２０は、位置検出部２０ｆで取得する位置情報と、記憶部２０ｇに予め記憶しておいた家屋Ｈ１に係る位置情報とを比較し、位置検出部２０ｆで取得した位置情報が、家屋Ｈ１に係る位置情報の範囲から外れた場合に、見守られる人Ｍ１が、通信端末装置２０を携帯して外出したと判断し、直近にＲＡＭ２０ｃに記憶されている測定値を室内値として扱うと共に、家屋Ｈ１に係る位置情報の範囲から外れた後に取得する測定値を室外値として扱うようにする。これ以降の処理は図１０に示す第１フローチャートのＳ４以降の処理と同等である。
【０１００】
なお、テレビジョン装置１０を省略する上記の変形例において、位置検出部２０ｆを備えない通信端末装置２０を用いる場合などでは、測定判断プログラム２１が起動すると、通信端末装置２０のディスプレイに、選択可能な外出ボタンを表示させるようにして、この外出ボタンがユーザ（見守られる人Ｍ１）により選択操作されると、通信端末装置２０は外出したと判断する仕様にすることも可能である。
【０１０１】
そして、サーバ装置２の処理負担を一層低減させる場合には、アラート条件（第２条件）の判断、及び終了条件（第３条件）の判断も通信端末装置２０で行うようにし、サーバ装置２は、通信端末装置２０から送られるアラート発送の指示に従って、見守る人へアラート情報を送信する処理のみを行う仕様にすることも可能である。
【０１０２】
このような仕様にする場合は、通信端末装置２０の記憶部２０ｇには、図８に示すアラート条件テーブル５、及び図９に示す終了条件テーブル６を予め記憶させておくと共に、記憶部２０ｇに記憶するアップロードプログラムＰ２２の替わりにアラート判断プログラムを記憶させることになる。
【０１０３】
このアラート判断プログラムとは、取得した室外値がアラート条件テーブル５に格納された条件（第２条件）に合致するか否かを、ＣＰＵ２０ａが判断することを規定したものであり、第２条件（アラート条件）を満たすと判断した場合、アラート情報を見守る人へ送信する指示と、該当するアラート情報を含むアラート指示情報をサーバ装置２へ送信する制御を、ＣＰＵ２０ａが行うことも規定している。また、サーバ装置２の大容量記憶システム２ｇに記憶される見守りサービスプログラムＰ２の規定内容も、この変形例に応じたものとなり、第２条件の判断に係る処理内容が省略されると共に、アラート指示情報を受信すると、そのアラート指示情報に従って、アラート情報を指定の見守る人に応じた送信先へ送信する処理をＭＰＵ２ａが行うことを規定したものになっている。
【０１０４】
図１１は、上述したサーバ装置２の処理負担を一層低減させる変形例に係る処理手順を示す第２フローチャートである。この第２フローチャートにおいて、Ｓ２１〜Ｓ２４がＹＥＳの段階の処理は基本的に、第１フローチャートのＳ１〜Ｓ４がＹＥＳの段階の処理と同等となり、ただ、Ｓ４ではアップロード条件を満たすかという表記になるが、この変形例では、通信端末装置２０は室外値をアップロードしない関係上、第１条件を満たすかという表記になっている（Ｓ２４）。ただし、アップロード条件と第１条件は内容的には同等であり、その内容は図４に示すアップロード条件テーブル２８に示すものとなる。
【０１０５】
第２フローチャートにおいて、第１条件が満たされる場合（Ｓ２４：ＹＥＳ）、通信端末装置２０は、記憶部２０ｇに記憶していたアラート判断プログラムを起動させ（Ｓ２５）、それから、室外値としての測定値を取得する（Ｓ２６）。そして、通信端末装置２０は、Ｓ２６の段階で取得した室外値が、図８のアラート条件テーブル５に格納されたアラート条件を満たすか否かを判断する（Ｓ２７）。アラート条件を満たすと判断した場合（Ｓ２７：ＹＥＳ）、通信端末装置２０は、上述したアラート指示情報を、装置ＩＤ及びユーザＩＤと共に、サーバ装置２へ送信する（Ｓ２８）。
【０１０６】
サーバ装置２は最初、通信端末装置２０からのアラート指示情報を受信したか否かを判断する段階になっており（Ｓ３１）、アラート指示情報を受信したと判断した場合（Ｓ３１：ＹＥＳ）、アラート指示情報と一緒に送信された装置ＩＤ及びユーザＩＤに基づき、図７（ａ）の見守る人ＤＢ４より、所定の見守る人テーブルを抽出し、その抽出した見守る人テーブルに格納された見守る人に応じた送信先へ、アラート指示情報に含まれるアラート情報を送信する（Ｓ３２）。なお、サーバ装置２は、アラート情報の送信（Ｓ３２）の後、又はアラート指示情報を受信しない場合（Ｓ３１：ＮＯ）、最初の段階（Ｓ３１）へ戻り、アラート指示情報を待つ状態となる。
【０１０７】
一方、通信端末装置２０は、アラート指示情報の送信の（Ｓ２８）後、又はアラート条件を満たさないと判断した場合（Ｓ２７：ＮＯ）、取得した室外値が図９の終了条件テーブル６に格納された終了条件を満たすか否かを判断する（Ｓ２９）。終了条件を満たさないと判断した場合（Ｓ２９：ＮＯ）、Ｓ２６の段階へ戻り、上述した各処理を引き続き行う。また、終了条件を満たすと判断した場合（Ｓ２９：ＹＥＳ）、サーバ装置２は、起動していたアラート判断プログラムを終了し（Ｓ３０）、一連の処理を終了する。
【０１０８】
以上に説明したように、図１１に示す第２フローチャートでは、サーバ装置２の処理内容が、図１０に示す第１フローチャートに比べて削減されるので、見守りサービスに係るサーバ装置２の処理負担を一層低減できる。なお、この図１１に示す第２フローチャートにおいても、上述したテレビジョン装置１０を省略する変形例等を適宜、適用できる。
【産業上の利用可能性】
【０１０９】
本発明は、見守りサービスにおけるサーバ装置の処理負担を低減すると共に、見守る人へ見守られる人が注意すべき状況を示す重要な情報を確実に把握できるようにすることに対して好適に利用可能である。
【符号の説明】
【０１１０】
１  見守りシステム
２  サーバ装置
３  見守られる人ＤＢ
４  見守る人ＤＢ
５  アラート条件テーブル
６  終了条件テーブル
１０  テレビジョン装置
１０ｊ、２０ｈ  無線通信部
１２、２２  温度センサ
１３、２３  気圧センサ
１４、２４  電磁波センサ
１５、２５  放射線量センサ
１６、２６  体温センサ
１７、２７  カメラモジュール
２０  通信端末装置
２８  アップロード条件テーブル
Ｐ２  見守りサービスプログラム
Ｐ１１  見守りプログラム
Ｐ２１  測定判断プログラム
Ｐ２２  アップロードプログラム
Ｈ１  家屋
Ｍ１  見守られる人
Ｋ１、Ｋ２、Ｋ３  見守る人
Ｄ１、Ｄ２、Ｄ３  見守る人の通信装置
【図１】
2014071861.tif 000003
【図２】
2014071861.tif 000004
【図３】
2014071861.tif 000005
【図４】
2014071861.tif 000006
【図５】
2014071861.tif 000007
【図６】
2014071861.tif 000008
【図７】
2014071861.tif 000009
【図８】
2014071861.tif 000010
【図９】
2014071861.tif 000011
【図１０】
2014071861.tif 000012
【図１１】
2014071861.tif 000013